(57)【特許請求の範囲】
【請求項１】
被掃除面に向い合って開口する集塵開口部と、前記集塵開口部よりも前方に配置される前壁とを含む本体ケースと、
前記本体ケースに設けられ、前記前壁から前記本体ケースの前方に突出するバンパーとを備え、
前記バンパーには、被掃除面側から前記バンパーに対して被掃除面の反対側に貫通する吸気孔が形成され、
前記バンパーは、前記吸気孔が形成される基部と、前記基部から被掃除面に向かって延びる延伸部とを含み、
前記延伸部と前記前壁との間には、前記吸気孔が連通し、被掃除面に向かって延びる通路が形成され、
前記前壁は、被掃除面に向い合い、前記集塵開口部に連なる底部分を含み、
前記底部分には、被掃除面からの距離が相対的に小さくなる突出部と、被掃除面からの距離が相対的に大きくなる溝部とが形成され、
前記溝部は、前記吸気孔から前記集塵開口部に向かう吸気流れの最短経路上に配置される、掃除機用の吸入口体。
【請求項２】
被掃除面に向い合って開口する集塵開口部と、前記集塵開口部よりも前方に配置される前壁とを含む本体ケースと、
前記本体ケースに設けられ、前記前壁から前記本体ケースの前方に突出するバンパーとを備え、
前記バンパーには、被掃除面側から前記バンパーに対して被掃除面の反対側に貫通する吸気孔が形成され、
前記バンパーは、前記吸気孔が形成される基部と、前記基部から被掃除面に向かって延びる延伸部とを含み、
前記延伸部と前記前壁との間には、前記吸気孔が連通し、被掃除面に向かって延びる通路が形成され、
前記前壁は、前記前壁が被掃除面に近づくに従って前記前壁と前記集塵開口部との前後方向の距離が減少するように曲がる第１曲がり部を含む、掃除機用の吸入口体。
【請求項３】
被掃除面に向い合って開口する集塵開口部と、前記集塵開口部よりも前方に配置される前壁とを含む本体ケースと、
前記本体ケースに設けられ、前記前壁から前記本体ケースの前方に突出するバンパーとを備え、
前記バンパーには、被掃除面側から前記バンパーに対して被掃除面の反対側に貫通する吸気孔が形成され、
前記バンパーは、前記吸気孔が形成される基部と、前記基部から被掃除面に向かって延びる延伸部とを含み、
前記延伸部と前記前壁との間には、前記吸気孔が連通し、被掃除面に向かって延びる通路が形成され、
前記延伸部は、被掃除面に向かって延びる先において、前記集塵開口部に近接する方向に曲がる第２曲がり部を含む、掃除機用の吸入口体。
【請求項４】
被掃除面に向い合って開口する集塵開口部と、前記集塵開口部よりも前方に配置される前壁とを含む本体ケースと、
前記本体ケースに設けられ、前記前壁から前記本体ケースの前方に突出するバンパーとを備え、
前記バンパーには、被掃除面側から前記バンパーに対して被掃除面の反対側に貫通する吸気孔が形成され、
前記バンパーは、前記吸気孔が形成される基部と、前記基部から被掃除面に向かって延びる延伸部とを含み、
前記延伸部と前記前壁との間には、前記吸気孔が連通し、被掃除面に向かって延びる通路が形成され、
前記集塵開口部は、帯状に延在する開口面を有し、
複数の前記吸気孔が、前記開口面の延在方向に並び、互いに間隔を隔てて形成され、
前記バンパーは、隣接する複数の前記吸気孔の間に、前記バンパーの肉が部分的に取り除かれる肉薄部を含む、掃除機用の吸入口体。
【発明の詳細な説明】
【技術分野】
【０００１】
この発明は、一般的には、掃除機用の吸入口体に関し、より特定的には、本体ケースの前壁にバンパーが設けられた掃除機用の吸入口体に関する。
【背景技術】
【０００２】
従来の掃除機用の吸入口体に関して、たとえば、特開２００３−３３３０５号公報には、床用吸込具の本来の性能を損なうことなく、壁際掃除の性能向上を図ることを目的とした床用吸込具が開示されている（特許文献１）。特許文献１では、上ケースと下ケースとからなる本体ケースに、従来の前壁に替えてバンパーが設けられている。バンパーは、本体ケースの前面から両側面にわたって取り付けられている。前面側には、被掃除面に向けて垂下された弾性体からなる、ひれ部が設けられている。
【特許文献１】特開２００３−３３３０５号公報
【発明の開示】
【発明が解決しようとする課題】
【０００３】
上述の特許文献に開示されるように、掃除機用の吸入口体の本体ケースには、部屋の壁などとの衝突時に受ける衝撃を和らげるためバンパーが設けられる。しかしながら、掃除機を用いて壁際を掃除する場合を想定すると、吸入口体に設けられた吸込み口の前方でバンパーと壁とが当接する。このため、吸込み口を壁際に十分に近接させることができず、壁際にゴミが残るおそれが生じる。このような事態は、壁際に限らず、たとえば敷居などの床面の段差部分においても起こり得る。
【０００４】
そこでこの発明の目的は、上記の課題を解決することであり、壁際や床面の段差部分にあるゴミを残さず収集する掃除機用の吸入口体を提供することである。
【課題を解決するための手段】
【０００５】
この発明に従った掃除機用の吸入口体は、本体ケースとバンパーとを備える。本体ケースは、被掃除面に向い合って開口する集塵開口部と、集塵開口部よりも前方に配置される前壁とを含む。バンパーは、本体ケースに設けられ、前壁から本体ケースの前方に突出する。バンパーには、被掃除面側からバンパーに対して被掃除面の反対側に貫通する吸気孔が形成される。バンパーは、吸気孔が形成される基部と、基部から被掃除面に向かって延びる延伸部とを含む。延伸部と前壁との間には、吸気孔が連通し、被掃除面に向かって延びる通路が形成される。前壁は、被掃除面に向い合い、集塵開口部に連なる底部分を含む。底部分には、被掃除面からの距離が相対的に小さくなる突出部と、被掃除面からの距離が相対的に大きくなる溝部とが形成される。溝部は、吸気孔から集塵開口部に向かう吸気流れの最短経路上に配置される。
この発明の別の局面に従った掃除機用の吸入口体は、本体ケースとバンパーとを備える。本体ケースは、被掃除面に向い合って開口する集塵開口部と、集塵開口部よりも前方に配置される前壁とを含む。バンパーは、本体ケースに設けられ、前壁から本体ケースの前方に突出する。バンパーには、被掃除面側からバンパーに対して被掃除面の反対側に貫通する吸気孔が形成される。バンパーは、吸気孔が形成される基部と、基部から被掃除面に向かって延びる延伸部とを含む。延伸部と前壁との間には、吸気孔が連通し、被掃除面に向かって延びる通路が形成される。前壁は、前壁が被掃除面に近づくに従って前壁と集塵開口部との前後方向の距離が減少するように曲がる第１曲がり部を含む。
この発明のさらに別の局面に従った掃除機用の吸入口体は、本体ケースとバンパーとを備える。本体ケースは、被掃除面に向い合って開口する集塵開口部と、集塵開口部よりも前方に配置される前壁とを含む。バンパーは、本体ケースに設けられ、前壁から本体ケースの前方に突出する。バンパーには、被掃除面側からバンパーに対して被掃除面の反対側に貫通する吸気孔が形成される。バンパーは、吸気孔が形成される基部と、基部から被掃除面に向かって延びる延伸部とを含む。延伸部と前壁との間には、吸気孔が連通し、被掃除面に向かって延びる通路が形成される。延伸部は、被掃除面に向かって延びる先において、集塵開口部に近接する方向に曲がる第２曲がり部を含む。
この発明のさらに別の局面に従った掃除機用の吸入口体は、本体ケースとバンパーとを備える。本体ケースは、被掃除面に向い合って開口する集塵開口部と、集塵開口部よりも前方に配置される前壁とを含む。バンパーは、本体ケースに設けられ、前壁から本体ケースの前方に突出する。バンパーには、被掃除面側からバンパーに対して被掃除面の反対側に貫通する吸気孔が形成される。バンパーは、吸気孔が形成される基部と、基部から被掃除面に向かって延びる延伸部とを含む。延伸部と前壁との間には、吸気孔が連通し、被掃除面に向かって延びる通路が形成される。集塵開口部は、帯状に延在する開口面を有する。複数の吸気孔が、開口面の延在方向に並び、互いに間隔を隔てて形成される。バンパーは、隣接する複数の吸気孔の間に、バンパーの肉が部分的に取り除かれる肉薄部を含む。
この発明のさらに別の局面に従った掃除機用の吸入口体は、本体ケースとバンパーとを備える。本体ケースは、被掃除面に向い合って開口する集塵開口部と、集塵開口部よりも前方に配置される前壁とを含む。バンパーは、本体ケースに設けられ、前壁から本体ケースの前方に突出する。バンパーには、被掃除面側からバンパーに対して被掃除面の反対側に貫通する吸気孔が形成される。
【０００６】
このように構成された掃除機用の吸入口体によれば、バンパーと、壁や床面の段差部分とが当接した場合に、吸気孔から集塵開口部に向かう吸気流れが形成される。これにより、壁際や床面の段差部分にあるゴミを、その吸気流れに乗せて集塵開口部に向かわせることができる。
【０００７】
また好ましくは、掃除機用の吸入口体は、集塵開口部に連通する本体ケース内の空間に配置され、回転する回転ブラシをさらに備える。このように構成された掃除機用の吸入口体によれば、被掃除面上のゴミを掻き出す回転ブラシを備えるタイプの掃除機であっても、上述の効果を同様に得ることができる。
【０００８】
また好ましくは、前壁は、前壁が被掃除面に近づくに従って前壁と集塵開口部との前後方向の距離が減少するように曲がる前記第１曲がり部を含む。このように構成された掃除機用の吸入口体によれば、吸気孔から導入された吸気を円滑に集塵開口部に導くことが可能となる。これにより、壁際や床面の段差部分にあるゴミを、より確実に集塵開口部に向かわせることができる。
【０００９】
また好ましくは、バンパーは、吸気孔が形成される基部と、基部から被掃除面に向かって延びる延伸部とを含む。延伸部と前壁との間には、吸気孔が連通し、被掃除面に向かって延びる通路が形成される。このように構成された掃除機用の吸入口体によれば、床面の段差部分の高さが基部に満たない場合であっても、段差部分と延伸部とを当接させることができる。これにより、吸気孔から通路を通り集塵開口部に向かう吸気流れを形成することができる。
【００１０】
また好ましくは、延伸部は、被掃除面に向かって延びる先において、集塵開口部に近接する方向に曲がる第２曲がり部を含む。このように構成された掃除機用の吸入口体によれば、吸気孔から導入され、延伸部と前壁との間の通路を流通する吸気を円滑に被掃除面に向けて導くことが可能となる。これにより、壁際や床面の段差部分にあるゴミを、より確実に集塵開口部に向かわせることができる。
【００１１】
また好ましくは、バンパーは、可撓性を有する材料から形成される。このように構成された掃除機用の吸入口体によれば、バンパーと、壁や床面の段差部分とが当接した場合に、バンパーをより積極的に変形させ、吸気孔の開口面積を減少させる。これにより、吸気孔から集塵開口部に向かう吸気流れの流速を増大させることができる。
【００１２】
また好ましくは、集塵開口部は、帯状に延在する開口面を有する。複数の吸気孔が、開口面の延在方向に並び、互いに間隔を隔てて形成される。このように構成された掃除機用の吸入口体によれば、吸気孔を開口面の延在方向に分割して形成することにより、各吸気孔の開口面積を小さく設定する。これにより、吸気孔から集塵開口部に向かう吸気流れの流速を増大させることができる。
【００１３】
また好ましくは、バンパーは、隣接する複数の吸気孔の間に、バンパーの肉が部分的に取り除かれる肉薄部を含む。このように構成された掃除機用の吸入口体によれば、肉薄部を設けることによって、隣接する複数の吸気孔の間でバンパーの剛性を低減させる。これにより、バンパーと、壁や床面の段差部分とが当接した場合に、バンパーをより積極的に変形させ、吸気孔の開口面積を減少させる。これにより、吸気孔から集塵開口部に向かう吸気流れの流速を増大させることができる。
【００１４】
また好ましくは、前壁は、被掃除面に向い合い、集塵開口部に連なる底部分を含む。底部分には、被掃除面からの距離が相対的に小さくなる突出部と、被掃除面からの距離が相対的に大きくなる溝部とが形成される。溝部は、吸気孔から集塵開口部に向かう吸気流れの最短経路上に配置される。このように構成された掃除機用の吸入口体によれば、バンパーと、壁や床面の段差部分とが当接した場合に、吸気孔から溝部を通り、集塵開口部に至る吸気流れを形成することができる。
【発明の効果】
【００１５】
以上説明したように、この発明に従えば、壁際や床面の段差部分にあるゴミを残さず収集する掃除機用の吸入口体を提供することができる。
【発明を実施するための最良の形態】
【００１６】
この発明の実施の形態について、図面を参照して説明する。なお、以下で参照する図面では、同一またはそれに相当する部材には、同じ番号が付されている。
【００１７】
図１は、電気掃除機を示す斜視図である。図１を参照して、電気掃除機１００は、縦型の掃除機である。電気掃除機１００は、ゴミの収集方式がサイクロン方式の掃除機である。電気掃除機１００は、掃除機本体１０１と、操作部１０２と、ホース１０３と、直管部１０４と、本実施の形態における掃除機用の吸入口体１０とを含む。
【００１８】
吸入口体１０は、掃除機本体１０１の下部に接続されている。床面を掃除する場合、電気掃除機１００を操作する人は、まず、吸入口体１０を床面上に残したまま掃除機本体１０１から先の部分を図中の矢印１１０に示す方向に倒した状態とする。そして、操作部１０２を把持して吸入口体１０を床面上で移動させることにより掃除を行なう。また、直管部１０４は、掃除機本体１０１に対して着脱可能となっている。たとえば、高い所やカーテン、家具の隙間などを掃除する場合には、直管部１０４を掃除機本体１０１から取り外した状態で、直管部１０４の先端を直接、掃除対象箇所に当てて掃除を行なうことも可能である。
【００１９】
図２は、この発明の実施の形態における掃除機用の吸入口体を示す斜視図である。図３は、図２中に示す吸入口体の前面図である。図４は、図２中に示す吸入口体の底面図である。
【００２０】
図２から図４を参照して、掃除機用の吸入口体１０は、本体ケース２１と、バンパー３１と、回転ブラシ４６とを含む。本体ケース２１は、吸入口体１０の外観の主要部をなす。回転ブラシ４６は、本体ケース２１に収容されている。回転ブラシ４６は、回転しながら床面上のゴミを掻き出す機能を有する。バンパー３１は、部屋の壁際などを掃除するときに本体ケース２１が壁に当たった場合に、その衝撃を吸収するために設けられている。
【００２１】
本体ケース２１は、前端部２２、中間部２３および後端部２４を含んで構成されている。前端部２２、中間部２３および後端部２４は、本体ケース２１の前方から後方に向けて順に並んで配置されている。
【００２２】
本体ケース２１は、集塵開口部４８を含む。集塵開口部４８は、前端部２２に形成されている。集塵開口部４８は、被掃除面９９と向い合って開口する。集塵開口部４８を通じてゴミが本体ケース２１内に収集されていく。集塵開口部４８は、図４中の矢印９６に示す方向に帯状に延在する開口面を有する（以下、図４中の矢印９６に示す方向を集塵開口部４８の延在方向という）。集塵開口部４８は、略矩形の開口面を有する。その略矩形の長手方向と、集塵開口部４８の開口面が帯状に延在する方向とが一致する。なお、集塵開口部４８は、略矩形の開口面に限られず、矢印９６に示す方向が長手方向となる長円や矩形、そのほかの形状の開口面を有してもよい。
【００２３】
本体ケース２１の内部には、空間４９が形成されている。空間４９は、集塵開口部４８に連通する。空間４９には、回転ブラシ４６が配置されている。回転ブラシ４６は、前端部２２に収容されている。回転ブラシ４６は、集塵開口部４８の延在方向に延びる回転軸を有する。回転ブラシ４６は、集塵開口部４８の開口面に重なるように配置されている。
【００２４】
中間部２３には、吸気の力によって回転する図示しないターボファンが収容されている。このターボファンの回転が回転ブラシ４６に伝達されることによって、回転ブラシ４６が回転する。後端部２４は、図１中の掃除機本体１０１側に接続される。後端部２４には、一対の車輪２６が取り付けられている。
【００２５】
本体ケース２１は、前壁４１および側壁４７を含む。前壁４１および側壁４７は、前端部２２の一部を構成する。前壁４１は、集塵開口部４８よりも前方に配置されている。前壁４１は、集塵開口部４８に対して後端部２４の反対側に配置されている。前壁４１の縁部が、集塵開口部４８の前端を規定する。前壁４１は、底部分４２を含む。底部分４２は、被掃除面９９と向い合って延在する。底部分４２は、集塵開口部４８に連なる。底部分４２は、集塵開口部４８に隣接して配置されている。底部分４２には、一対の車輪２７が取り付けられている。
【００２６】
底部分４２には、溝部４４および突出部４３が形成されている。溝部４４および突出部４３は、溝部４４と被掃除面９９との間の距離が相対的に大きくなり、突出部４３と被掃除面９９との間の距離が相対的に小さくなるように形成されている。溝部４４と突出部４３とは、集塵開口部４８の延在方向に沿って交互に繰り返し形成されている。このような段差構造を底部分４２に設けることにより、吸入口体１０が電気掃除機１００の吸引力によって絨毯などに強く吸着することを防ぐ。また、床面に比較的大きいゴミが落ちている場合であっても、そのゴミが底部分４２に引っ掛かって集塵開口部４８に吸引されないことを防ぐ。
【００２７】
図５は、図３中のＶ−Ｖ線上に沿った吸入口体の断面図である。図３から図５を参照して、バンパー３１は、可撓性を有する材料から形成されている。バンパー３１は、たとえばエラストマーから形成されている。
【００２８】
バンパー３１は、本体ケース２１に固定されている。バンパー３１は、本体ケース２１の外側に配置されている。バンパー３１は、前壁４１から本体ケース２１の前方に突出するように設けられている。バンパー３１は、吸入口体１０の中で最も前方に配置されている。バンパー３１は、被掃除面９９から所定の高さだけ離れた位置に設けられている。バンパー３１は、集塵開口部４８の延在方向において、前壁４１の全体に渡って設けられている。バンパー３１は、前壁４１から側壁４７にまで延びるように設けられている。
【００２９】
バンパー３１には、吸気孔３５が形成されている。吸気孔３５は、前壁４１を覆うバンパー３１の部位に形成されている。吸気孔３５は、前壁４１に加えて側壁４７を覆うバンパー３１の部位に形成されてもよい。吸気孔３５は、被掃除面９９側からバンパー３１に対して被掃除面９９の反対側に貫通する。バンパー３１は、被掃除面９９に向い合う下面３１ａと、下面３１ａの裏側に配置される上面３１ｂとを含む。吸気孔３５は、その下面３１ａと上面３１ｂとの間で貫通する。吸気孔３５は、バンパー３１の上下方向に貫通する。吸気孔３５は、全周が閉じた形状の開口面を有する。吸気孔３５は、バンパー３１に対して前壁４１の反対側に開放された形状を有さない。
【００３０】
吸気孔３５は、集塵開口部４８の延在方向に長辺を有し、本体ケース２１の前後方向に短辺を有する略矩形の開口面を有する。この本体ケース２１の前後方向における吸気孔３５の開口長さは、たとえば、１ｍｍ以上３ｍｍ以下の範囲である。吸気孔３５の開口面は、このような形状に限られず、たとえば円形や長円、矩形以外の多角形などの形状を有してもよい。
【００３１】
バンパー３１には、複数の吸気孔３５が形成されている。複数の吸気孔３５は、集塵開口部４８の延在方向に並び、互いに間隔を隔てて形成されている。溝部４４は、吸気孔３５と集塵開口部４８とを結ぶ最短経路上に配置されている。吸気孔３５と溝部４４とは、本体ケース２１の前後方向に並んで配置されている。
【００３２】
バンパー３１は、基部３４と、延伸部としてのひれ部３３とを含む。基部３４には、吸気孔３５が形成されている。ひれ部３３は、基部３４から被掃除面９９に向かって延びている。ひれ部３３は、基部３４と被掃除面９９との間で集塵開口部４８の延在方向に帯状に延在する。ひれ部３３は、前壁４１から距離を隔てた位置に設けられている。ひれ部３３と前壁４１との間には、通路としての吸気通路３７が形成されている。吸気通路３７には、吸気孔３５が連通する。
【００３３】
図６は、図２中の吸気口体を用いて部屋の壁際を掃除する様子を示す断面図である。図６を参照して、壁際を掃除する場合、壁８１とバンパー３１とが当接する。このとき、ひれ部３３下端と被掃除面９９との間の経路に作用していた電気掃除機１００の吸引力が、壁８１と前壁４１との間の空間に作用することになり、吸気孔３５から集塵開口部４８に向かう吸気流れが形成される。この吸気流れが被掃除面９９の壁際にあるゴミ９８に作用することにより、ゴミ９８を集塵開口部４８に向かわせることができる。
【００３４】
この際、本実施の形態では、溝部４４が吸気孔３５から集塵開口部４８に向かう吸気流れの最短経路上に配置されるため、絨毯などを掃除する場合のように吸入口体１０が被掃除面９９に沈み込むことがあっても、被掃除面９９上に達した吸気を効率良く集塵開口部４８に導くことができる。また、吸気孔３５が集塵開口部４８の延在方向に分割して形成されているため、各吸気孔３５の開口面積が小さくなる。これにより、吸気孔３５を通過して集塵開口部４８に向かう吸気流れの流速を増大させることができる。結果、壁際にあるゴミ９８を効率良く収集することができる。
【００３５】
前壁４１は、第１曲がり部としてのソリ状部４１ｐを含む。ソリ状部４１ｐは、前壁４１が被掃除面９９に近づくに従って前壁４１と集塵開口部４８との前後方向の距離が減少するように曲がる。ソリ状部４１ｐは、被掃除面９９に対して略直角方向に延在する前壁４１が、被掃除面９９に向い合って開口する集塵開口部４８へと連なるコーナ部分に設けられている。
【００３６】
ひれ部３３は、第２曲がり部としてのソリ状部３３ｐを含む。ソリ状部３３ｐは、ひれ部３３が被掃除面９９に向かって延びる先で、集塵開口部４８に近接する方向に曲がって形成されている。ソリ状部３３ｐは、ソリ状部４１ｐの形状に沿うように曲がって形成されている。ソリ状部４１ｐおよび３３ｐは、集塵開口部４８に向けて湾曲しながら延在してもよいし、屈曲しながら延在してもよい。
【００３７】
このような構成により、ソリ状部４１ｐおよびソリ状部３３ｐがガイドとなって、吸気孔３５から導入された吸気を円滑に集塵開口部４８に向かわせることができる。結果、壁際にあるゴミ９８を効率良く収集することができる。
【００３８】
図７は、図３中のＶＩＩ−ＶＩＩ線上に沿った吸入口体の断面図である。図７を参照して、バンパー３１は、薄肉部３６を含む。薄肉部３６は、集塵開口部４８の延在方向において隣接する複数の吸気孔３５の間に形成されている。薄肉部３６では、バンパー３１の肉が部分的に取り除かれている。基部３４は、薄肉部３６において、上面３１ｂが閉じられた中空形状に形成されている。
【００３９】
図８は、図２中の吸入口体の変形を示す断面図である。図８を参照して、本実施の形態では、バンパー３１が可撓性の材料から形成されている。また、バンパー３１に薄肉部３６を設けることによって、バンパー３１の強度が低減されている。このような構成により、バンパー３１が壁８１に当接した時に、バンパー３１を積極的に変形させる。これにより、吸気孔３５の開口面積を小さくし、吸気孔３５を通過して集塵開口部４８に向かう吸気流れの流速を増大させる。結果、壁際にあるゴミ９８を効率良く収集することができる。
【００４０】
図９は、図２中の吸気口体を用いて段差部分を掃除する様子を示す断面図である。図９を参照して、ふすまや障子の敷居など、部屋の床面上に段差部分８２が形成されることがある。この段差部分８２の高さが低い場合、バンパーを段差部分８２に当接させることができないことがある。これに対して、本実施の形態では、バンパー３１に被掃除面９９に向かって延びるひれ部３３が設けられている。このような構成により、段差部分８２とひれ部３３とを当接させ、吸気孔３５から集塵開口部４８に向かう吸気流れを形成することができる。
【００４１】
このように構成された、この発明の実施の形態における掃除機用の吸入口体１０は、本体ケース２１と、バンパー３１とを備える。本体ケース２１は、被掃除面９９に向い合って開口する集塵開口部４８と、集塵開口部４８よりも前方に配置される前壁４１とを含む。バンパー３１は、本体ケース２１に設けられ、前壁４１から本体ケース２１の前方に突出する。バンパー３１には、被掃除面９９側からバンパー３１に対して被掃除面９９の反対側に貫通する吸気孔３５が形成される。
【００４２】
このように構成された、この発明の実施の形態における掃除機用の吸入口体１０によれば、壁際や段差部分にあるゴミを残すことなく集塵開口部４８に収集することができる。本実施の形態では、吸気孔３５がバンパー３１に形成されている。このような構成により、吸気孔３５から集塵開口部４８に向かう吸気流れを、壁や段差部分により近い位置に形成することができる。
【００４３】
図１０は、図１中の電気掃除機の変形例を示す斜視図である。図１０を参照して、本変形例では、掃除機用の吸入口体１０が、キャニスタ型の電気掃除機２０２に適用される。「キャニスタ型」は、「床置き型」とも呼ばれ、掃除機本体が吸入口体１０とは離れた場所に位置し、ホースを介して牽引されて走行するタイプである。電気掃除機２０２は、掃除機本体２２１と、操作部２２２と、ホース２２３と、直管部２２４と、本実施の形態における掃除機用の吸入口体１０とを含む。吸入口体１０は、直管部２２４の先端に接続されている。直管部２２４の他端と掃除機本体２２１との間は、ホース２２３によって互いに接続されている。掃除機本体２２１には車輪が備わっている。
【００４４】
また、本発明は、図１および図１０中に示したタイプ以外の掃除機にも適用可能である。ゴミの収集方式は、サイクロン方式に限られず、紙袋方式であってもよい。回転ブラシが設けられないタイプや、回転ブラシをモータによって回転させるパワーブラシタイプの掃除機にも本発明は適用される。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４６】
【図１】電気掃除機を示す斜視図である。
【図２】この発明の実施の形態における掃除機用の吸入口体を示す斜視図である。
【図３】図２中に示す吸入口体の前面図である。
【図４】図２中に示す吸入口体の底面図である。
【図５】図３中のＶ−Ｖ線上に沿った吸入口体の断面図である。
【図６】図２中の吸気口体を用いて部屋の壁際を掃除する様子を示す断面図である。
【図７】図３中のＶＩＩ−ＶＩＩ線上に沿った吸入口体の断面図である。
【図８】図２中の吸入口体の変形を示す断面図である。
【図９】図２中の吸気口体を用いて段差部分を掃除する様子を示す断面図である。
【図１０】図１中の電気掃除機の変形例を示す斜視図である。
【符号の説明】
【００４７】
１０  吸入口体、２１  本体ケース、３１  バンパー、３３  ひれ部、３３ｐ，４１ｐ  ソリ状部、３４  基部、３５  吸気孔、３６  薄肉部、３７  吸気通路、４１  前壁、４２  底部分、４３  突出部、４４  溝部、４６  回転ブラシ、４８  集塵開口部、４９  空間、９９  被掃除面。
【図１】
0004958168.tif 000002
【図２】
0004958168.tif 000003
【図３】
0004958168.tif 000004
【図４】
0004958168.tif 000005
【図５】
0004958168.tif 000006
【図６】
0004958168.tif 000007
【図７】
0004958168.tif 000008
【図８】
0004958168.tif 000009
【図９】
0004958168.tif 000010
【図１０】
0004958168.tif 000011